(57)【要約】【課題】商品の販売を希望する販売会員の要求と、商品の購入を希望するユーザの要求とを同時に満たすこと。【解決手段】商品売買情報仲介サーバ１００側において、ユーザ端末２００からの購入要求情報が販売会員端末３００からの事前販売情報と一致した場合、その一致した少なくとも購入要求情報と事前販売情報とを含む情報が実行販売情報として設定登録され、さらに実行販売情報を知らせるユーザの数が送信回数の設定登録に応じた送信回数で制限され、その制限された送信回数に応じて実行販売情報がユーザ端末２００に送信されるようにしたので、たとえば商品の販売を希望する販売会員の具体的な販売情報と、商品の購入を希望するユーザからの具体的な要求とを結びつけることができ、購買可能性の高いユーザを絞り込んで販売価格情報等を含んだ広告を送信する。【選択図】図３
2009064122.tif 000002
【特許請求の範囲】
【請求項１】
通信回線を介して商品売買情報の仲介を行う商品売買情報仲介システムであって、
前記通信回線を介し、少なくとも販売会員情報及び事前販売情報を送信する販売会員端末と、
前記通信回線を介し、少なくともユーザ情報及び購入要求情報を送信するユーザ端末と、
前記販売会員端末からの少なくとも前記販売会員情報及び事前販売情報と、前記ユーザ端末からの少なくとも前記ユーザ情報及び購入要求情報とをデータベースに登録する商品売買情報仲介サーバとを備え、
前記商品売買情報仲介サーバは、
前記ユーザ端末からの購入要求情報と、前記販売会員端末からの事前販売情報とのマッチング処理を行う情報マッチング処理手段と、
前記販売会員端末からの前記事前販売情報の登録及び未登録に限らないユーザ向けの公開又は非公開の設定登録と、その非公開に設定された事前販売情報を登録ユーザ向けに知らせる送信数を制限するための送信回数の設定登録とを行う事前販売情報登録処理手段と、
前記情報マッチング処理手段により、前記ユーザ端末からの購入要求情報が前記販売会員端末からの事前販売情報と一致した場合、その一致した少なくとも購入要求情報と事前販売情報とを含む情報を実行販売情報として設定登録する実行販売情報登録処理手段と、
前記実行販売情報を知らせるユーザの数を前記送信回数の設定登録に応じた送信回数で制限する送信回数制御処理手段と、
該送信回数制御処理手段によって制限された送信回数に応じて前記実行販売情報をユーザ端末に送信する実行販売情報送信処理手段とを備える
ことを特徴とする商品売買情報仲介システム。
【請求項２】
前記ユーザ端末からの前記購入要求情報に含まれる受信待機時間の有無を判別する受信待機時間判別処理手段を有し、
前記実行販売情報登録処理手段は、前記送信回数制御処理手段による送信回数の制限と、前記受信待機時間判別処理手段による受信待機時間の有無の判別結果とが適合したとき、前記実行販売情報としての設定登録を行う
ことを特徴とする請求項１に記載の商品売買情報仲介システム。
【請求項３】
前記事前販売情報を公開にするか非公開にするかを制御する公開／非公開制御処理手段を有することを特徴とする請求項１又は２に記載の商品売買情報仲介システム。
【請求項４】
通信回線を介して商品売買情報の仲介を行う商品売買情報仲介サーバであって、
前記通信回線を介し、販売会員端末からの少なくとも販売会員情報及び事前販売情報と、ユーザ端末からの少なくともユーザ情報及び購入要求情報とを受け付けてデータベースに登録する手段と、
前記ユーザ端末からの購入要求情報と、前記販売会員端末からの事前販売情報とのマッチング処理を行う情報マッチング処理手段と、
前記販売会員端末からの前記事前販売情報の登録及び未登録に限らないユーザ向けの公開又は非公開の設定登録と、その非公開に設定された事前販売情報を登録ユーザ向けに知らせる送信数を制限するための送信回数の設定登録とを行う事前販売情報登録処理手段と、
前記情報マッチング処理手段により、前記ユーザ端末からの購入要求情報が前記販売会員端末からの事前販売情報と一致した場合、その一致した少なくとも購入要求情報と事前販売情報とを含む情報を実行販売情報として設定登録する実行販売情報登録処理手段と、
前記実行販売情報を知らせるユーザの数を前記送信回数の設定登録に応じた送信回数で制限する送信回数制御処理手段と、
該送信回数制御処理手段によって制限された送信回数に応じて前記実行販売情報をユーザ端末に送信する実行販売情報送信処理手段とを備える
ことを特徴とする商品売買情報仲介サーバ。
【請求項５】
前記ユーザ端末からの前記購入要求情報に含まれる受信待機時間の有無を判別する受信待機時間判別処理手段を有し、
前記実行販売情報登録処理手段は、前記送信回数制御処理手段による送信回数の制限と、前記受信待機時間判別処理手段による受信待機時間の有無の判別結果とが適合したとき、前記実行販売情報としての設定登録を行う
ことを特徴とする請求項４に記載の商品売買情報仲介サーバ。
【請求項６】
前記事前販売情報を公開にするか非公開にするかを制御する公開／非公開制御処理手段を有することを特徴とする請求項４又は５に記載の商品売買情報仲介サーバ。
【請求項７】
通信回線を介して商品売買情報の仲介を行う商品売買情報仲介方法であって、
前記通信回線を介し、販売会員端末により少なくとも販売会員情報及び事前販売情報を送信する工程と、
前記通信回線を介し、ユーザ端末により少なくともユーザ情報及び購入要求情報を送信する工程と、
商品売買情報仲介サーバにより前記販売会員端末からの少なくとも前記販売会員情報及び事前販売情報と、前記ユーザ端末からの少なくとも前記ユーザ情報及び購入要求情報とをデータベースに登録する工程とを有し、
前記商品売買情報仲介サーバは、さらに、
前記ユーザ端末からの購入要求情報と、前記販売会員端末からの事前販売情報とのマッチング処理を行う工程と、
前記販売会員端末からの前記事前販売情報の登録及び未登録に限らないユーザ向けの公開又は非公開の設定登録と、その非公開に設定された事前販売情報を登録ユーザ向けに知らせる送信数を制限するための送信回数の設定登録とを行う工程と、
前記ユーザ端末からの購入要求情報が前記販売会員端末からの事前販売情報と一致した場合、その一致した少なくとも購入要求情報と事前販売情報とを含む情報を実行販売情報として設定登録する工程と、
前記実行販売情報を知らせるユーザの数を前記送信回数の設定登録に応じた送信回数で制限する工程と、
該制限された送信回数に応じて前記実行販売情報をユーザ端末に送信する工程とを有する
ことを特徴とする商品売買情報仲介方法。
【請求項８】
前記ユーザ端末からの前記購入要求情報に含まれる受信待機時間の有無を判別する工程を有し、
前記送信回数の制限と、前記受信待機時間の有無の判別結果とが適合したとき、前記実行販売情報としての設定登録が行われる
ことを特徴とする請求項７に記載の商品売買情報仲介方法。
【請求項９】
前記事前販売情報を公開にするか非公開にするかを制御する工程を有することを特徴とする請求項７又は８に記載の商品売買情報仲介方法。
【発明の詳細な説明】
【技術分野】
【０００１】
本発明は、通信回線としてのたとえばインターネットを介し、不特定多数の商品購入希望者の要求と、商品販売希望者の要求とを満たすことに適した商品売買情報仲介システム、商品売買情報仲介サーバ、商品売買情報仲介方法に関する。
【背景技術】
【０００２】
近年、インターネットの普及に伴い、ユーザが商品自体の情報や商品の価格情報等を手軽に取得できるようになっている。特に、商品の価格情報については、販売者が提供している商品提供サイトや価格情報を専門に提供する価格情報サイトにアクセスすることで、価格の動向が一目で判別できるようになっている。
【０００３】
一方、商品の販売者にとっては、商品の固定価格とともに、その商品の値引き価格等を自サイトに掲載することで、販売アピールを行っている。
【０００４】
このようなインターネットを介しての商品の価格等の情報を提供するものとして、特許文献１では、販売店端末から送信された商品情報等をデータベースへ登録し、ユーザ端末からのアクセスにより販売店選択要求情報をユーザ端末に送信し、ユーザ端末から送信された販売店選択情報を受信し、データベースから該当する販売店が取り扱う商品情報を検索し、抽出された商品情報一覧を生成し、商品選択要求情報をユーザ端末へ送信し、ユーザ端末から送信された商品選択情報を受信し、選択商品についてデータベースを検索し、その価格を抽出し、選択販売店の中で最も安い価格をつける販売店を選出し、その選出結果をユーザ端末へ送信するようにした商品情報提供サーバを提案している。
【特許文献１】特開２００２−１８９９２９号公報
【発明の開示】
【発明が解決しようとする課題】
【０００５】
このように、上述した特許文献１に示されている商品情報提供サーバでは、ユーザ端末から送信された商品選択情報を受信し、選択商品についてデータベースを検索し、その価格を抽出し、選択販売店の中で最も安い価格をつける販売店を選出し、その選出結果をユーザ端末へ送信するようにしているので、複数の販売店が取り扱う同一商品の比較を容易に行うことができるようになっている。
【０００６】
ところが、このような方法では、ユーザからの要望に応じて選択販売店の中で最も安い価格をつける販売店を知らせるものであって、ユーザは複数の販売店が取り扱う同一商品の比較を容易に行うことができるものの、たとえば商品の販売を希望するユーザからの具体的な販売情報と、商品の購入を希望するユーザからの具体的な要求とを結びつけることができないばかりか、購買可能性の高いユーザを絞り込んで販売価格情報等を含んだ広告を送信することができないため、商品の販売を希望するユーザの要求と、商品の購入を希望するユーザの要求とを同時に満たすことができないという問題があった。
【０００７】
すなわち、現状では、特許文献１のように、複数の販売店が提供する販売価格情報等をたとえば価格の安い順に並べたたとえば価格比較サイトと呼ばれているＷｅｂサイトを一般公開し、商品の購入を希望するユーザがそのＷｅｂサイトを通じて商品の購入を要求するという方法がとられている。
【０００８】
このような方法では、商品の購入を希望するユーザがそのＷｅｂサイトの一般公開済みの販売価格情報より好条件を交渉することが現実的に困難であるため、商品の購入を希望するユーザがより好条件で商品を購入することができないことになる。
【０００９】
一方、商品の販売を希望するユーザは、商品購入を検討している非常に購入確率の高いユーザをそれぞれのユーザ毎の要求単位でリアルタイムに把握することが困難であるため、好条件で商品を購入したいユーザを絞り込んで、短期間のうちに商品の販売に結びつけるようなことを行うことができない。
【００１０】
本発明は、このような状況に鑑みてなされたものであり、上記問題点を解決することができる商品売買情報仲介システム、商品売買情報仲介サーバ、商品売買情報仲介方法を提供することを目的とする。
【課題を解決するための手段】
【００１１】
本発明の商品売買情報仲介システムは、通信回線を介して商品売買情報の仲介を行う商品売買情報仲介システムであって、前記通信回線を介し、少なくとも販売会員情報及び事前販売情報を送信する販売会員端末と、前記通信回線を介し、少なくともユーザ情報及び購入要求情報を送信するユーザ端末と、前記販売会員端末からの少なくとも前記販売会員情報及び事前販売情報と、前記ユーザ端末からの少なくとも前記ユーザ情報及び購入要求情報とをデータベースに登録する商品売買情報仲介サーバとを備え、前記商品売買情報仲介サーバは、前記ユーザ端末からの購入要求情報と、前記販売会員端末からの事前販売情報とのマッチング処理を行う情報マッチング処理手段と、前記販売会員端末からの前記事前販売情報の登録及び未登録に限らないユーザ向けの公開又は非公開の設定登録と、その非公開に設定された事前販売情報を登録ユーザ向けに知らせる送信数を制限するための送信回数の設定登録とを行う事前販売情報登録処理手段と、前記情報マッチング処理手段により、前記ユーザ端末からの購入要求情報が前記販売会員端末からの事前販売情報と一致した場合、その一致した少なくとも購入要求情報と事前販売情報とを含む情報を実行販売情報として設定登録する実行販売情報登録処理手段と、前記実行販売情報を知らせるユーザの数を前記送信回数の設定登録に応じた送信回数で制限する送信回数制御処理手段と、該送信回数制御処理手段によって制限された送信回数に応じて前記実行販売情報をユーザ端末に送信する実行販売情報送信処理手段とを備えることを特徴とする。
また、前記ユーザ端末からの前記購入要求情報に含まれる受信待機時間の有無を判別する受信待機時間判別処理手段を有し、前記実行販売情報登録処理手段は、前記送信回数制御処理手段による送信回数の制限と、前記受信待機時間判別処理手段による受信待機時間の有無の判別結果とが適合したとき、前記実行販売情報としての設定登録を行うようにすることができる。
また、前記事前販売情報を公開にするか非公開にするかを制御する公開／非公開制御処理手段を有するようにすることができる。
本発明の商品売買情報仲介サーバは、通信回線を介して商品売買情報の仲介を行う商品売買情報仲介サーバであって、前記通信回線を介し、販売会員端末からの少なくとも販売会員情報及び事前販売情報と、ユーザ端末からの少なくともユーザ情報及び購入要求情報とを受け付けてデータベースに登録する手段と、前記ユーザ端末からの購入要求情報と、前記販売会員端末からの事前販売情報とのマッチング処理を行う情報マッチング処理手段と、前記販売会員端末からの前記事前販売情報の登録及び未登録に限らないユーザ向けの公開又は非公開の設定登録と、その非公開に設定された事前販売情報を登録ユーザ向けに知らせる送信数を制限するための送信回数の設定登録とを行う事前販売情報登録処理手段と、前記情報マッチング処理手段により、前記ユーザ端末からの購入要求情報が前記販売会員端末からの事前販売情報と一致した場合、その一致した少なくとも購入要求情報と事前販売情報とを含む情報を実行販売情報として設定登録する実行販売情報登録処理手段と、前記実行販売情報を知らせるユーザの数を前記送信回数の設定登録に応じた送信回数で制限する送信回数制御処理手段と、該送信回数制御処理手段によって制限された送信回数に応じて前記実行販売情報をユーザ端末に送信する実行販売情報送信処理手段とを備えることを特徴とする。
また、前記ユーザ端末からの前記購入要求情報に含まれる受信待機時間の有無を判別する受信待機時間判別処理手段を有し、前記実行販売情報登録処理手段は、前記送信回数制御処理手段による送信回数の制限と、前記受信待機時間判別処理手段による受信待機時間の有無の判別結果とが適合したとき、前記実行販売情報としての設定登録を行うようにすることができる。
また、前記事前販売情報を公開にするか非公開にするかを制御する公開／非公開制御処理手段を有するようにすることができる。
本発明の商品売買情報仲介方法は、通信回線を介して商品売買情報の仲介を行う商品売買情報仲介方法であって、前記通信回線を介し、販売会員端末により少なくとも販売会員情報及び事前販売情報を送信する工程と、前記通信回線を介し、ユーザ端末により少なくともユーザ情報及び購入要求情報を送信する工程と、商品売買情報仲介サーバにより前記販売会員端末からの少なくとも前記販売会員情報及び事前販売情報と、前記ユーザ端末からの少なくとも前記ユーザ情報及び購入要求情報とをデータベースに登録する工程とを有し、前記商品売買情報仲介サーバは、さらに、前記ユーザ端末からの購入要求情報と、前記販売会員端末からの事前販売情報とのマッチング処理を行う工程と、前記販売会員端末からの前記事前販売情報の登録及び未登録に限らないユーザ向けの公開又は非公開の設定登録と、その非公開に設定された事前販売情報を登録ユーザ向けに知らせる送信数を制限するための送信回数の設定登録とを行う工程と、前記ユーザ端末からの購入要求情報が前記販売会員端末からの事前販売情報と一致した場合、その一致した少なくとも購入要求情報と事前販売情報とを含む情報を実行販売情報として設定登録する工程と、前記実行販売情報を知らせるユーザの数を前記送信回数の設定登録に応じた送信回数で制限する工程と、該制限された送信回数に応じて前記実行販売情報をユーザ端末に送信する工程とを有することを特徴とする。
また、前記ユーザ端末からの前記購入要求情報に含まれる受信待機時間の有無を判別する工程を有し、前記送信回数の制限と、前記受信待機時間の有無の判別結果とが適合したとき、前記実行販売情報としての設定登録が行われるようにすることができる。
また、前記事前販売情報を公開にするか非公開にするかを制御する工程を有するようにすることができる。
本発明の商品売買情報仲介システム、商品売買情報仲介サーバ、商品売買情報仲介方法では、商品売買情報仲介サーバにより、通信回線を介し、販売会員端末からの少なくとも販売会員情報及び事前販売情報と、ユーザ端末からの少なくともユーザ情報及び購入要求情報とが受け付けられてデータベースに登録されるとともに、情報マッチング処理手段によりユーザ端末からの購入要求情報と、販売会員端末からの事前販売情報とのマッチング処理が行われ、事前販売情報登録処理手段により販売会員端末からの事前販売情報の登録及び未登録に限らないユーザ向けの公開又は非公開の設定登録と、その非公開に設定された事前販売情報を登録ユーザ向けに知らせる送信数を制限するための送信回数の設定登録とが行われ、実行販売情報登録処理手段によりユーザ端末からの購入要求情報が販売会員端末からの事前販売情報と一致した場合、その一致した少なくとも購入要求情報と事前販売情報とを含む情報が実行販売情報として設定登録され、送信回数制御処理手段により実行販売情報を知らせるユーザの数が送信回数の設定登録に応じた送信回数で制限され、実行販売情報送信処理手段により送信回数制御処理手段によって制限された送信回数に応じて実行販売情報がユーザ端末に送信される。
【発明の効果】
【００１２】
本発明の商品売買情報仲介システム、商品売買情報仲介サーバ、商品売買情報仲介方法によれば、ユーザ端末からの購入要求情報が販売会員端末からの事前販売情報と一致した場合、その一致した少なくとも購入要求情報と事前販売情報とを含む情報が実行販売情報として設定登録され、さらに実行販売情報を知らせるユーザの数が送信回数の設定登録に応じた送信回数で制限され、その制限された送信回数に応じて実行販売情報がユーザ端末に送信されるようにしたので、たとえば商品の販売を希望する販売会員の具体的な販売情報と、商品の購入を希望するユーザからの具体的な要求とを結びつけることができ、購買可能性の高いユーザを絞り込んで販売価格情報等を含んだ広告を送信することができることから、商品の販売を希望する販売会員の要求と、商品の購入を希望するユーザの要求とを同時に満たすことができる。
【発明を実施するための最良の形態】
【００１３】
現状では、複数の販売店が提供する販売価格情報等をたとえば価格の安い順に並べたたとえば価格比較サイトと呼ばれているＷｅｂサイトを一般公開し、商品の購入を希望するユーザがそのＷｅｂサイトを通じて商品の購入を要求するという方法がとられているものの、このような方法では、商品の購入を希望するユーザがそのＷｅｂサイトの一般公開済みの販売価格情報より好条件を交渉することが現実的に困難であるため、商品の購入を希望するユーザがより好条件で商品を購入することができない。
【００１４】
一方、商品の販売を希望する販売会員は、商品購入を検討している非常に購入確率の高いユーザをそれぞれのユーザ毎の要求単位でリアルタイムに把握することが困難であるため、好条件で商品を購入したいユーザを絞り込んで、短期間のうちに商品の販売に結びつけるようなことを行うことができない。
【００１５】
そこで、本実施形態では、ユーザ端末からの購入要求情報が販売会員端末からの事前販売情報と一致した場合、その一致した少なくとも購入要求情報と事前販売情報とを含む情報が実行販売情報として設定登録され、さらに実行販売情報を知らせるユーザの数が送信回数の設定登録に応じた送信回数で制限され、その制限された送信回数に応じて実行販売情報がユーザ端末に送信されるようにした。
【００１６】
これにより、たとえば商品の販売を希望する販売会員の具体的な販売情報と、商品の購入を希望するユーザからの具体的な要求とが結びつけられ、購買可能性の高いユーザを絞り込んで販売価格情報等を含んだ広告を送信することができ、商品の販売を希望する販売会員の要求と、商品の購入を希望するユーザの要求とが同時に満たされる。
【実施例】
【００１７】
以下、本発明の実施例の詳細について説明する。図１は、本発明の商品売買情報仲介システムの一実施例を説明するための図である。
【００１８】
同図に示す商品売買情報仲介システムは、商品売買情報仲介サーバ１００と、ユーザ端末２００と、販売会員端末３００と、これらを相互通信可能とするインターネット４００とを備えている。
【００１９】
ここで、商品売買情報仲介サーバ１００は、商品売買情報の仲介サービス提供者が運営するものであり、各種情報が登録されるデータベース１１０を有している。
【００２０】
データベース１１０には、ユーザ情報１１１、購入要求情報１１２、販売会員情報１１３、商品紹介情報１１４、クリック履歴情報１１５、事前販売情報１１６、実行販売情報１１７等が登録されるようになっている。
【００２１】
ユーザ端末２００は、商品売買情報仲介サーバ１００が提供するサイトにアクセスして商品販売に関する情報を取得する。ユーザ端末２００としては、ノートパソコン、ディスクトップパソコン、携帯電話、ＰＤＡ、ゲーム機器等を用いることができる。
【００２２】
販売会員端末３００は、商品売買情報仲介サーバ１００が提供するサイトにアクセスして販売したい商品に関する情報を登録する。
【００２３】
図２は、商品売買情報仲介サーバ１００の詳細を説明するための図である。
【００２４】
同図に示すように、商品売買情報仲介サーバ１００は、インタフェース１０１、受信部１０２、送信部１０３、データ書込部１０４、データ読出部１０５、制御部１１０Ａを備えている。
【００２５】
インタフェース１０１は、インターネット４００を介してユーザ端末２００と販売会員端末３００との間でデータ通信を行う。
【００２６】
受信部１０２は、ユーザ端末２００からのアクセスに関わるデータの受信を行う。ここで、アクセスに関わるデータとしては、少なくともログインにおけるユーザＩＤやパスワード等を示すデータである。
【００２７】
送信部１０３は、少なくともユーザＩＤ及びパスワードを含むユーザ情報登録を行ったユーザ端末２００や販売会員端末３００に対して、少なくとも商品売買情報仲介サーバ１００が提供するサイトを表示させるためのデータを送信する。
【００２８】
データ書込部１０４は、上述したユーザ情報１１１、購入要求情報１１２、販売会員情報１１３、商品紹介情報１１４、クリック履歴情報１１５、事前販売情報１１６、実行販売情報１１７等をデータベース１１０に登録する。
【００２９】
データ読出部１０５は、データベース１１０に登録された上述のユーザ情報１１１、購入要求情報１１２、販売会員情報１１３、商品紹介情報１１４、クリック履歴情報１１５、事前販売情報１１６、実行販売情報１１７等を読み出す。
【００３０】
制御部１１０Ａは、図示しないＲＯＭに記憶されている所定の制御プログラムに基づき、各部の動作を制御する。また、制御部１１０Ａは、所定の制御プログラムに基づき、商品情報検索処理部１１１ａ、事前販売情報登録処理部１１１ｂ、実行販売情報登録処理部１１１ｃ、実行販売情報送信処理部１１１ｄ、送信制御処理部１１１ｅ、送信回数制御処理部１１１ｆ、公開／非公開制御処理部１１１ｇ、会員サイトクリック計測処理部１１１ｈ、受信待機時間判別処理部１１１ｉ、情報マッチング処理部１１１ｊ、商品情報登録処理部１１１ｋ、ユーザ情報登録処理部１１１ｌ、ユーザ情報認証処理部１１１ｍ、会員情報登録処理部１１１ｎ、会員情報認証処理部１１１ｏ、購入要求情報登録処理部１１１ｐ、購入要求情報送信処理部１１１ｑ、登録情報閲覧制御処理部１１１ｒを実現する。
【００３１】
ここで、商品情報検索処理部１１１ａは、ユーザ端末２００からの要求に応じてユーザが希望する商品紹介情報を検索する。なお、この商品紹介情報はシステム運営者が予め入力しておくものである。ここで、商品紹介情報としては、商品の価格情報、画像情報、販売店情報、機能情報等である。このような商品紹介情報をシステム運営者が予め入力しておくことにより、ユーザに対して商品の価格情報、画像情報、販売店情報、機能情報等を容易に知らせることができるようになっている。
【００３２】
事前販売情報登録処理部１１１ｂは、販売会員端末３００から受け取った元となる事前販売情報を、後述の図５（ｂ）の事前販売情報テーブル１１０ｅに即した内容としてデータベース１１０に登録する。この事前販売情報登録処理においては、実行販売情報の公開／非公開の設定や、送信回数の設定等が行われる。なお、送信回数の設定とは、実行販売情報を知らせるユーザの数を制限することを意味する。
【００３３】
実行販売情報登録処理部１１１ｃは、情報マッチング処理部１１１ｊにより、ユーザの購入要求情報が販売会員の事前販売情報と一致した場合、送信回数制御処理部１１１ｆ、受信待機時間判別処理部１１１ｉによるそれぞれの処理が実行され、全ての条件がクリアされると、後述の図６（ａ）の実行販売情報テーブル１１０ｆに則した内容の実行販売情報をデータベース１１０に設定登録する。
【００３４】
実行販売情報送信処理部１１１ｄは、実行販売情報登録処理部１１１ｃによって発行された販売情報を送信回数の残に応じて送信する。
【００３５】
送信制御処理部１１１ｅは、たとえば後述の図３に示すｃ：会員認証、ｈ：購入要求受信に関わる情報等を販売会員端末３００に送信する処理等を行う。また、送信制御処理部１１１ｅは、たとえば後述の図３に示すｆ：ユーザ認証に関わる情報等をユーザ端末２００に送信する処理等を行う。
【００３６】
送信回数制御処理部１１１ｆは、実行販売情報を知らせるユーザの数を制限するための送信回数を制限する。なお、ユーザの数を制限については、販売会員端末３００からの指示に従って行われる。
【００３７】
公開／非公開制御処理部１１１ｇは、事前販売情報を公開にするか非公開にするかを制御する。なお、販売情報を公開にするか非公開にするかについては、販売会員端末３００からの指示に従って行われる。
【００３８】
会員サイトクリック計測処理部１１１ｈは、後述の図４（ｃ）のクリック履歴情報テーブル１１０ｃに則したクリック履歴情報をデータベース１１０に設定登録する。受信待機時間判別処理部１１１ｉは、実行販売情報を所定数のユーザに知らせるために設定された受信待機時間の有無を判別する。
【００３９】
情報マッチング処理部１１１ｊは、ユーザ端末２００からの購入要求情報と、販売会員端末３００からの事前販売情報とのマッチング処理を行う。商品情報登録処理部１１１ｋは、販売会員端末３００からの商品情報登録に従い、後述の図６（ｂ）に示す商品情報テーブル１１０ｇに則した内容の商品情報をデータベース１１０に設定登録する。
【００４０】
ユーザ情報登録処理部１１１ｌは、ユーザ端末２００からのユーザ情報登録に従い、後述の図４（ａ）のユーザ情報テーブル１１０ａに即した内容のユーザ情報をデータベース１１０に登録する。
【００４１】
ユーザ情報認証処理部１１１ｍは、ユーザ端末２００からのアクセス毎に入力されるユーザＩＤやパスワードを、データベース１１０に登録されている後述の図４（ａ）のユーザ情報テーブル１１０ａに即した内容と照合して正否を判別する。
【００４２】
会員情報登録処理部１１１ｎは、販売会員端末３００からの販売会員情報登録に従い、後述の図５（ａ）に示す販売会員情報テーブル１１０ｄに即した内容の情報をデータベース１１０に登録する。
【００４３】
会員情報認証処理部１１１ｏは、販売会員端末３００からのアクセス毎に入力される会員ＩＤやパスワードを、データベース１１０に登録されている後述の図５（ａ）の販売会員情報テーブル１１０ｄに即した内容と照合して正否を判別する。
【００４４】
購入要求情報登録処理部１１１ｐは、ユーザ情報認証処理部１１１ｍによるユーザ認証の終了後、購入要求情報登録の入力を行われると、後述の図４（ｂ）の購入要求情報テーブル１１０ｂに則した内容の購入要求情報をデータベース１１０に設定登録する。
【００４５】
購入要求情報送信処理部１１１ｑは、後述の図４（ｂ）の購入要求情報テーブル１１０ｂに則した内容の購入要求情報を販売会員端末３００に送信する。登録情報閲覧制御処理部１１１ｒは、ユーザ端末２００からのアクセスに応じて公開されている事前販売情報又は非公開とされている事前販売情報を閲覧させる。なお、公開されている事前販売情報は、ユーザ登録していないユーザも閲覧でき、非公開とされている事前販売情報はユーザ登録したユーザのみが閲覧可能（ユーザからの購入要求情報があり、その購入要求情報に基づいて、実行販売情報が生成された場合）となっている。
【００４６】
ここで、図３〜図６を用い、商品売買情報仲介システムにおけるサービスの流れの概要について説明する。なお、図３は商品売買情報仲介システムにおけるサービスの流れを説明するための図であり、図４〜図６は図１のデータベース１１０に登録される各種テーブルを示す図である。
【００４７】
まず、図３に示すように、商品売買情報仲介サーバ１００側で販売会員端末３００からの図５（ａ）に示す販売会員情報テーブル１１０ｄに即した内容の会員情報が得られると、上述の会員情報登録処理部１１１ｎにより、データベース１１０にｂ：会員情報登録が行われる。
【００４８】
また、商品売買情報仲介サーバ１００側で図６（ｂ）に示す商品情報テーブル１１０ｇに則した内容の商品情報が得られると、上述の商品情報登録処理部１１１ｋにより、データベース１１０にｂ：商品情報登録が行われる。
【００４９】
また、商品売買情報仲介サーバ１００側で、図５（ａ）に示す販売会員情報テーブル１１０ｄに基づく会員情報及びパスワードにてｃ：会員認証が上述の会員情報認証処理部１１１ｏによって行われ、認証後に、図５（ｂ）に示す事前販売情報テーブル１１０ｅに即した内容の事前販売情報が上述の事前販売情報登録処理部１１１ｂにより、データベース１１０にｄ：事前販売情報登録が行われる。
【００５０】
また、ユーザはｅ：ユーザ情報登録において、図４（ａ）のユーザ情報テーブル１１０ａに基づき自己の情報を入力すると、上述のユーザ情報登録処理部１１１ｌにより、ユーザ情報がデータベース１１０に登録される。
【００５１】
ユーザ情報認証処理部１１１ｍによるｆ：ユーザ認証の終了後、ｇ：購入要求情報登録の入力を行うと、上述の購入要求登録処理部１１１ｐにより、図４（ｂ）の購入要求情報テーブル１１０ｂに則した購入要求情報がデータベース１１０登録される。
【００５２】
上述の情報マッチング処理部１１１ｊにより、ユーザの購入要求情報が販売会員の事前販売情報と一致した場合、上述の送信回数制御処理部１１１ｆ、受信待機時間判別処理部１１１ｉによるそれぞれの処理が実行され、全ての条件がクリアされると、上述の実行販売情報登録処理部１１１ｃにより、ｉ：実行販売情報登録が行われる。
【００５３】
このとき、図６（ａ）の実行販売情報テーブル１１０ｆに則した実行販売情報が登録されるとともに、上述の購入要求情報送信処理部１１１ｑによりその購入要求情報が送信されることにより、販売会員端末３００側でｈ：購入要求情報受信が行われる。
【００５４】
ここで、商品売買情報仲介サーバ１００側で購入要求情報と事前販売情報との条件がマッチすると、ｉ：実行販売情報登録が行われる。登録された実行販売情報は、上述の受信待機時間判別処理部１１１ｉによる受信待機時間により制御され、待機時間経過後、上述の実行販売情報送信処理部１１１ｄにより実行販売情報が送信されることで、ユーザ端末２００側で、ｊ：実行販売情報受信が行われる。
【００５５】
実行販売情報受信後、ｋ：販売サイトクリックにより、上述の会員サイトクリック計測処理部１１１ｈにより、図４（ｃ）のクリック履歴情報テーブル１１０ｃに則したクリック履歴情報がデータベース１１０に登録される。
【００５６】
なお、本発明は主として事前販売情報に加え、実行販売情報を併せた提供を目的としてされているので、本来、販売会員の事前販売情報の登録が前提となって、ユーザの要求情報と合致することができるが、例外的に受信待機時間ありの要求情報が先に登録された後に、事前販売情報の登録があった場合は、順番が逆になってもよい。
【００５７】
次に、図７により、ユーザの購入要求情報登録までの流れについて説明する。
【００５８】
まず、ユーザは、自己のユーザ端末２００により商品売買情報仲介サーバ１００が提供するサイトに訪問する（ステップＳ１）。ここで、未登録ユーザ向けサイトにおいては常時閲覧可能であるため、そのサイトを閲覧し（ステップＳ２）、そのコンテンツ内のユーザ登録画面より、ユーザ情報登録確認を行う（ステップＳ３）。
【００５９】
ここで、登録確認がなく（ステップＳ３：ＮＧ）、しかも登録意志がない場合は（ステップＳ４：ＮＧ）、再度、未登録ユーザ向けサイト閲覧を行う。これに対し、登録意志がある場合はステップＳ４：ＯＫ）、ユーザ情報登録を行う（ステップＳ５）。ここでは、少なくとも、ユーザＩＤ、パスワード、Ｅｍａｉｌアドレス、住所、電話番号を含むユーザ情報登録を行うと、そのユーザ情報がデータベース１１０に一旦保存される。
【００６０】
そして、上述のユーザ情報認証処理部１１１ｍによりユーザ認証が行われ（ステップＳ６）、ユーザ認証がＯＫであれば、登録済みユーザサイト閲覧ができる状態となる（ステップＳ７）。これに対し、ステップＳ６でのユーザ認証がＮＧであれば、再度、ステップＳ２に戻り、上記手順を繰り返す。
【００６１】
次に、登録済みユーザサイト内において商品紹介情報内の事前販売情報閲覧を行い（ステップＳ８）、購入要求情報登録確認において（ステップＳ９）、登録意志がない場合は、再度、ステップＳ７の登録済みユーザサイト閲覧に戻る。そして、ステップＳ９において、登録意志がある場合は、購入要求情報登録を行う（ステップＳ１０）。
【００６２】
ここで、購入要求情報は上述の購入要求情報テーブル１１０ｂに基づき入力されるが、ユーザ側で入力が必要な項目は、受信待機時間、Ｅｍａｉｌ受信希望の有無である。受信待機時間は、ユーザの指定により、０〜３日間の間でかつ時間を３０分単位で指定することができる。この時間指定機能は、販売会員からユーザに与えられる実行販売情報の数を調整することに直結し、時間が長いほどより多くの販売情報を得ることが可能となる。
【００６３】
次に、図８により、販売会員の事前販売情報登録までの流れについて説明する。
【００６４】
まず、販売会員（販売希望者）は、自己の販売会員端末３００より、商品売買情報仲介サーバ１００が提供するサイトに訪問する（ステップＳ１１）。ここで、未登録ユーザ向けサイトにおいては常時閲覧可能であるため、そのサイトを閲覧し（ステップＳ１２）、そのコンテンツ内のユーザ登録画面より、販売会員情報登録確認を行う（ステップＳ１３）。
【００６５】
ここで、登録確認がなく（ステップＳ１３：ＮＧ）、しかも登録意志がない場合は（ステップＳ１４：ＮＧ）、再度、未登録ユーザ向けサイト閲覧を行う。これに対し、登録意志がある場合はステップＳ１４：ＯＫ）、販売会員情報登録を行う（ステップＳ１５）。ここでは、少なくとも、会員ＩＤ、パスワード、Ｅｍａｉｌアドレス、会社名を含む販売会員情報登録を行うと、その販売会員情報がデータベース１１０に一旦保存される。
【００６６】
そして、上述の販売会員認証処理部１１０ｏにより販売会員認証が行われ（ステップＳ１６）、販売会員認証がＯＫであれば、登録済み会員サイト閲覧ができる状態となる（ステップＳ１７）。これに対し、ステップＳ１６での販売会員認証がＮＧであれば、再度、ステップＳ１２に戻り、上記手順を繰り返す。
【００６７】
次に、登録済み会員サイト内において商品紹介情報閲覧を行い（ステップＳ１８）、事前販売情報登録確認において（ステップＳ１９）、登録意志がない場合は、再度、ステップＳ１７の登録済み会員サイト閲覧に戻る。そして、ステップＳ１９において、登録意志がある場合は、事前販売情報登録を行う（ステップＳ２０）。
【００６８】
ここで、事前販売情報は上述の事前販売テーブル１１０ｅに基づき入力されるが、販売会員側で入力が必須な項目は、少なくとも、商品型番、税込価格、送料、在庫の有無、支払方式、掲載有効期限、０以上の整数及び無制限の指定送信回数、未登録ユーザに対する情報の公開／非公開の選択等である。
【００６９】
またここで、上述した情報マッチング処理部１１１ｊにより、ユーザの購入要求情報が販売会員の事前販売情報と一致した場合、上述したように、送信回数制御処理部１１１ｆ、受信待機時間判別処理部１１１ｉによるそれぞれの処理が実行され、全ての条件がクリアされると、上述の実行販売情報登録処理部１１１ｃにより、ｉ：実行販売情報登録が行われる。
【００７０】
また、実行販売情報送信処理部１１１ｄにおいては、実行販売情報登録処理部１１１ｃの処理によって登録された価格、送料、支払条件、在庫の情報等が、Ｅｍａｉｌによる告知か、直接画面にて確認することができるように処理される。加えてユーザの受信待機時間を経過した場合は、上述の実行販売情報１１７の登録ができないようになっている。
【００７１】
これにより、販売会員は、実行販売情報の送信回数や、公開又は非公開に応じてその実行販売情報の内容を随時コントロールすることが可能となり、早く販売したいときには低価格に、利益を重視したい場合は高価格にといった形で、時期や経営状況等に応じて価格を調整することが可能となる。
【００７２】
次に、図９により、ユーザ端末２００による購入要求情報登録と、販売会員端末３００による事前販売情報登録と、商品売買情報仲介サーバ１００による実行販売情報登録や実行販売情報送信とが行われた後でのユーザによる実行販売情報閲覧までの流れについて説明する。
【００７３】
まず、図７のステップＳ１０での購入要求情報登録と、図８のステップＳ２０での事前販売情報登録とが行われると、商品売買情報仲介サーバ１００の上述の情報マッチング処理部１１１ｊによるマッチング処理が行われる（ステップＳ２１）。
【００７４】
ここで、事前販売情報に対するマッチング処理での該当なしとなると、通常時の購入要求情報待機状態となる（ステップＳ３０）。また、購入要求情報に対するマッチング処理での該当なしとなると、上述の受信待機時間判別処理部１１１ｉによる受信待機時間判別処理が実行される（ステップＳ２２）。
【００７５】
ここでは、待機時間なしの場合、結果ゼロで上述の実行販売情報送信処理部１１１ｄによる処理が実行される（ステップＳ２３）。これに対し、待機時間ありの場合、受信待機状態となり（ステップＳ２４）、待機時間到達後、再びステップＳ２１でのマッチング処理が行われる。
【００７６】
一方、ステップＳ２１でのマッチング処理において、該当ありの場合、上述の送信回数制御処理部１１１ｆによる送信回数制御処理が実行される（ステップＳ２５）。ここでは、残送信回数なしの場合はステップＳ２２での受信待機時間判別処理が実行され、残送信回数ありの場合は上述の受信待機時間判別処理部１１１ｉによる受信待機時間判別処理が実行され（ステップＳ２４）、待機時間ありのとき、最も直近の実行販売情報作成のために再びステップＳ２４の受信待機状態に戻る。
【００７７】
これに対し、待機時間なしの場合、即時に上述の実行販売情報登録処理部１１１ｃによる実行販売情報登録処理が実行され（ステップＳ２７）、次に上述の実行販売情報送信処理部１１１ｄによる実行販売情報送信処理が行われ（ステップＳ２８）、ユーザ側で実行販売情報閲覧が可能となる（ステップＳ２９）。
【００７８】
このように、本実施例では、商品売買情報仲介サーバ１００により、インターネット４００を介し、販売会員端末３００からの少なくとも販売会員情報及び事前販売情報と、ユーザ端末２００からの少なくともユーザ情報及び購入要求情報とが受け付けられてデータベース１１０に登録されるとともに、情報マッチング処理部１１１ｊによりユーザ端末２００からの購入要求情報と、販売会員端末からの事前販売情報とのマッチング処理が行われ、事前販売情報登録処理部１１１ｂにより販売会員端末３００からの事前販売情報を知らせるユーザ数を制限するための送信回数の設定登録が行われ、実行販売情報登録処理部１１１ｃによりユーザ端末２００からの購入要求情報が販売会員端末３００からの事前販売情報と一致した場合、その一致した少なくとも購入要求情報と事前販売情報とを含む情報が実行販売情報として設定登録され、送信回数制御処理部１１１ｆにより実行販売情報を知らせるユーザの数が送信回数の設定登録に応じた送信回数で制限され、実行販売情報送信処理部１１１ｄにより送信回数制御処理部１１１ｆによって制限された送信回数に応じて実行販売情報がユーザ端末２００に送信されるようにした。
【００７９】
すなわち、商品売買情報仲介サーバ１００側において、ユーザ端末２００からの購入要求情報が販売会員端末３００からの事前販売情報と一致した場合、その一致した少なくとも購入要求情報と事前販売情報とを含む情報が実行販売情報として設定登録され、さらに実行販売情報を知らせるユーザの数が送信回数の設定登録に応じた送信回数で制限され、その制限された送信回数に応じて実行販売情報がユーザ端末２００に送信されるようにしたので、たとえば商品の販売を希望する販売会員の具体的な販売情報と、商品の購入を希望するユーザからの具体的な要求とを結びつけることができ、購買可能性の高いユーザを絞り込んで販売価格情報等を含んだ広告を送信することができることから、商品の販売を希望する販売会員の要求と、商品の購入を希望するユーザの要求とを同時に満たすことができる。
【００８０】
また、本実施例での商品売買情報仲介システムを用いることで、販売会員にとって単純な広告手法である固定価格の公開という手法が、価格、配信数、取引対象の調整を可能にした手法に代えることができ、商品の購入を希望するユーザにとっては既成手法以上の条件取得の可能性が高くなる。
【００８１】
すなわち、既存のインターネット電子商取引でのユーザの購買行動は、販売者が固定で公開している莫大な情報を閲覧して比較検討することにある。販売者にとっては、インターネット上のサイトにて公開している価格はあくまでも「不特定多数向け」公開販売価格であり、タイミング、広告宣伝量、経営状況を判断しながらの、個々のユーザに対して調整可能な価格提供を行うことができなかった。
【００８２】
つまり、現状では、価格比較サイトでの最安値に複数の同価格販売者が名前を連ねている「暗黙の価格協定」現象が発生するようになっており、これは各販売者が自己の利益を確保する目的もさることながら、実際にはそれ以下の価格で販売したくても、不特定数向け・不特定期間の情報であるため、他販売者との価格駆け引きの困難から起こりうるもので、ユーザにとっては自然の競争原理に従った販売価格情報が得られないという新しい問題が発生している。
【００８３】
そこで、本実施例での商品売買情報仲介システムを用いることで、販売者間での「暗黙の価格協定」現象がなくなり、他販売者との価格駆け引きもなくなることで、販売者は利益を確保しつつさらに安い価格を提供でき、ユーザにとっては自然の競争原理に従った販売価格情報を得ることができるようになる。
【００８４】
さらには、販売会員にとって、自己の経営判断による、売り上げ重視型、利益重視型の広告手法の選択可能となる。
【図面の簡単な説明】
【００８５】
【図１】本発明の商品売買情報仲介システムの一実施例を説明するための図である。
【図２】図１の商品売買情報仲介サーバの詳細を説明するための図である。
【図３】図１の商品売買情報仲介システムにおけるサービスの流れを説明するための図である。
【図４】図１のデータベースに登録される各種テーブルを示す図である。
【図５】図１のデータベースに登録される各種テーブルを示す図である。
【図６】図１のデータベースに登録される各種テーブルを示す図である。
【図７】図１の商品売買情報仲介システムにおける、ユーザの購入要求情報登録までの流れについて説明するためのフローチャートである。
【図８】図１の商品売買情報仲介システムにおける、販売会員の事前販売情報登録までの流れについて説明するためのフローチャートである。
【図９】図１の商品売買情報仲介システムにおける、ユーザ端末による購入要求情報登録と、販売会員端末による事前販売情報登録と、商品売買情報仲介サーバによる実行販売情報登録や実行販売情報送信とが行われた後でのユーザによる実行販売情報閲覧までの流れについて説明するためのフローチャートである。
【符号の説明】
【００８６】
１００  商品売買情報仲介サーバ
１０１  インタフェース
１０２  受信部
１０３  送信部
１０４  データ書込部
１０５  データ読出部
１１０  データベース
１１０Ａ  制御部
１１０ａ  ユーザ情報テーブル
１１０ｂ  購入要求情報テーブル
１１０ｃ  クリック履歴情報テーブル
１１０ｄ  販売会員情報テーブル
１１０ｅ  事前販売テーブル
１１０ｅ  事前販売情報テーブル
１１０ｆ  実行販売情報テーブル
１１０ｇ  商品情報テーブル
１１０ｏ  販売会員認証処理部
１１１ａ  商品情報検索処理部
１１１ｂ  事前販売情報登録処理部（事前販売情報登録処理手段）
１１１ｃ  実行販売情報登録処理部（実行販売情報登録処理手段）
１１１ｄ  実行販売情報送信処理部（実行販売情報送信処理手段）
１１１ｅ  送信制御処理部
１１１ｆ  送信回数制御処理部（送信回数制御処理手段）
１１１ｇ  公開／非公開制御処理部（公開／非公開制御処理手段）
１１１ｈ  会員サイトクリック計測処理部
１１１ｉ  受信待機時間判別処理部（受信待機時間判別処理手段）
１１１ｊ  情報マッチング処理部（情報マッチング処理手段）
１１１ｋ  商品情報登録処理部
１１１ｌ  ユーザ情報登録処理部
１１１ｍ  ユーザ情報認証処理部
１１１ｎ  会員情報登録処理部
１１１ｏ  会員情報認証処理部
１１１ｐ  購入要求情報登録処理部
１１１ｐ  購入要求登録処理部
１１１ｑ  購入要求情報送信処理部
１１１ｒ  登録情報閲覧制御処理部
２００  ユーザ端末
３００  販売会員端末
４００  インターネット
【図１】
2009064122.tif 000003
【図２】
2009064122.tif 000004
【図３】
2009064122.tif 000005
【図４】
2009064122.tif 000006
【図５】
2009064122.tif 000007
【図６】
2009064122.tif 000008
【図７】
2009064122.tif 000009
【図８】
2009064122.tif 000010
【図９】
2009064122.tif 000011